(57)【要約】【課題】  ユーザが種々の光ディスクの中からディスク装置に合った光ディスクを選択するための情報の提供を受けることができ、メーカが光ディスクの記録可能回数の情報の提供を受けてディスク装置の開発、改良に反映することができるようにする。【解決手段】  光ディスクに情報データを上書き記録し、光ディスクへの情報データの記録が終了したとき、光ディスクのＲＭＡに記録されている記録回数に１を加算して記録回数を更新し、光ディスクのＲＭＡに記録されているＭＩＤを読み出して、読み出された光ディスクのＭＩＤと更新された記録回数とを送信し、ＭＩＤ毎の光ディスクの記録可能回数に関するディスク情報を受信するようにする。【選択図】        図１
2006196098.tif 000002
【特許請求の範囲】
【請求項１】
光ディスクに情報データを記録再生するディスク装置であって、
光ディスクに情報データを上書き記録する記録手段と、前記記録手段により光ディスクに情報データが上書き記録される毎に、光ディスクのＲＭＡに記録されている記録回数に１を加算して記録回数を更新する更新手段と、光ディスクのＲＭＡに記録されているＭＩＤを読み出す読出手段と、前記読出手段により読み出された光ディスクのＭＩＤと前記更新手段により更新された記録回数とをネットワークを介してメーカのサーバに送信する送信手段と、ＭＩＤ毎の光ディスクの記録可能回数に関するディスク情報をネットワークを介してメーカのサーバから受信する受信手段と、前記受信手段により受信されたＭＩＤ毎の光ディスクの記録可能回数に関するディスク情報を表示する表示手段とを備えたことを特徴とするディスク装置。
【請求項２】
光ディスクに情報データを記録再生するディスク装置であって、
光ディスクに情報データを上書き記録する記録手段と、前記記録手段による光ディスクに情報データが上書き記録される毎に、光ディスクのＲＭＡに記録されている記録回数に１を加算して記録回数を更新する更新手段と、光ディスクのＲＭＡに記録されているＭＩＤを読み出す読出手段と、前記読出手段により読み出された光ディスクのＭＩＤと前記更新手段により更新された記録回数とをメーカに送信する送信手段と、ＭＩＤ毎の光ディスクの記録可能回数に関するディスク情報をメーカから受信する受信手段とを備えたことを特徴とするディスク装置。
【請求項３】
前記送信手段は、前記読出手段により読み出された光ディスクのＭＩＤと前記更新手段により更新された記録回数とをネットワークを介してメーカのサーバに送信する送信手段であることを特徴とする請求項２記載のディスク装置。
【請求項４】
前記受信手段は、ＭＩＤ毎の光ディスクの記録可能回数に関するディスク情報をネットワークを介してメーカのサーバから受信する受信手段であることを特徴とする請求項２記載のディスク装置。
【請求項５】
前記受信手段により受信されたＭＩＤ毎の光ディスクの記録可能回数に関するディスク情報を表示する表示手段を更に備えたことを特徴とする請求項２記載のディスク装置。
【発明の詳細な説明】
【技術分野】
【０００１】
本発明は、ＤＶＤ−ＲＷ（Ｄｉｇｉｔａｌ  Ｖｅｓａｔｉｌｅ  Ｄｉｓｃ−ＲｅＷｒｉｔａｂｌｅ）等の書き換え型光ディスクに情報データを記録再生するディスク装置に係り、特にネットワークを介してディスク情報を送受信することができるディスク装置に関する。
【背景技術】
【０００２】
一般に、ＤＶＤ−ＲＷ等の書き換え型光ディスクは、規格上では１０００回以上情報データを書き換えることができることになっている。しかし、光ディスクの品質のバラツキや光ディスクの取り扱い等により実際に記録できる記録回数にバラツキがあり、規格上の１０００回の書き換えができない場合がある。店頭には様々なメーカの光ディスクが並んでいて、光ディスクの価格とメーカとだけではディスク装置の性能に合った光ディスクであるか否かということがわからず、種々の光ディスクの中からディスク装置に合った光ディスクを選択するための情報を入手することができないという問題点があった。また、どのような光ディスクがディスク装置の記録媒体として使用されているかということがメーカ側では全くわからず、市場に出回っている種々の光ディスクに対するディスク装置の問題点を把握することができないため、ディスク装置の開発、改良に反映することができないという問題点があった。
背景技術としては、設備のプロセス制御用コントローラに供給される制御電圧の電圧信号の電圧値及びリップル値を抽出して送信し、その信号を受信して特性劣化状況を解析して部品交換やシステムリプレースを行うようにしたものがあった（例えば、特許文献１参照）。
また、稼動している機器の部品の寿命特性を検出して、ネットワークを介して部品の寿命特性データを送信し、送信された部品の寿命特性データを受信して、受信した寿命特性データを用いて部品の余寿命を予測するようにしたものがあった（例えば、特許文献２参照）。
また、情報処理装置の使用環境の情報を測定して収集し、使用環境情報と標準環境との差異の大小に基づいて装置異常の発生を予測し、情報処理装置の交換時期を把握するようにしたものがあった（例えば、特許文献３参照）。
また、保守契約又は修理依頼があった家電製品に関連する情報を保守修理サービスセンタで保持して、情報ネットワークを介して保守修理サービスセンタ、販売店、メーカ間を相互に接続し、家電製品毎の寿命到来時期の情報を提供するようにしたものがあった（例えば、特許文献４参照）。
【特許文献１】特開２０００−２４８５１５号公報
【特許文献２】特開２０００−１５７３３０号公報
【特許文献３】特開平８−１６７２３４号公報
【特許文献４】特開２００２−９２２１２号公報
【発明の開示】
【発明が解決しようとする課題】
【０００３】
しかしながら、背景技術で述べたものうち最初のものにおいては、設備のプロセス制御用コントローラに供給される制御電圧の電圧信号の電圧値及びリップル値を抽出して送信し、その信号を受信して特性劣化状況を解析して部品交換やシステムリプレースを行うことができたが、測定されたデータに基づいて特性劣化状況を解析して設備の部品交換やシステムリプレースの時期がわかるようにしたものであって、上記問題点を解決するようにしたものではなかった。
また、次のものにおいては、稼動している機器の部品の寿命特性を検出して、ネットワークを介して部品の寿命特性データを送信し、送信された部品の寿命特性データを受信して、受信した寿命特性データを用いて部品の余寿命を予測することができたが、機器の寿命部品の特性値をネットワークを介して定期的に受信して、センタで各部品の寿命予測を行うようにしたものであって、上記問題点を解決するようにしたものではなかった。
また、更にその次のものにおいては、情報処理装置の使用環境の情報を測定して収集し、使用環境情報と標準環境との差異の大小に基づいて装置異常の発生を予測し、情報処理装置の交換時期を把握することができたが、情報処理装置が設置された使用環境の変動に応じて障害の発生の予測して、情報処理装置の交換時期を把握するようにしたものであって、上記問題点を解決するようにしたものではなかった。
また、更にその次のものにおいては、保守契約又は修理依頼があった家電製品に関連する情報を保守修理サービスセンタで保持して、情報ネットワークを介して保守修理サービスセンタ、販売店、メーカ間を相互に接続し、家電製品毎の寿命到来時期情報を提供することができたが、保守修理サービスセンタに集められる顧客所有の家電製品の寿命到来時期情報を販売店、メーカで利用することにより、家電製品の拡販を図るようにしたものであって、上記問題点を解決するようにしたものではなかった。
本発明は、背景技術の有するこのような問題点に鑑みてなされたものであり、その目的とするところは、ユーザが種々の光ディスクの中からディスク装置に合った光ディスクを選択するための情報の提供を受けることができ、メーカが光ディスクの記録可能回数の情報の提供を受けてディスク装置の開発、改良に反映することができるディスク装置を提供しようとするものである。
【課題を解決するための手段】
【０００４】
上記目的を達成するため本発明においては、光ディスクに情報データを記録再生するディスク装置であって、光ディスクに情報データを上書き記録する記録手段と、前記記録手段による光ディスクに情報データが上書き記録される毎に、光ディスクのＲＭＡに記録されている記録回数に１を加算して記録回数を更新する更新手段と、光ディスクのＲＭＡに記録されているＭＩＤを読み出す読出手段と、前記読出手段により読み出された光ディスクのＭＩＤと前記更新手段により更新された記録回数とをメーカに送信する送信手段と、ＭＩＤ毎の光ディスクの記録可能回数に関するディスク情報をメーカから受信する受信手段とを備える。
前記送信手段は、前記読出手段により読み出された光ディスクのＭＩＤと前記更新手段により更新された記録回数とをネットワークを介してメーカのサーバに送信するようにするとよい。
前記受信手段は、ＭＩＤ毎の光ディスクの記録可能回数に関するディスク情報をネットワークを介してメーカのサーバから受信するようにするとよい。
更に、前記受信手段により受信されたＭＩＤ毎の光ディスクの記録可能回数に関するディスク情報を表示するを備える。
これらの手段により、ユーザが種々の光ディスクの中からディスク装置に合った光ディスクを選択するための情報の提供を受けることができ、メーカが光ディスクの記録可能回数の情報の提供を受けてディスク装置の開発、改良に反映することができる。
【発明の効果】
【０００５】
請求項１記載の発明に係るディスク装置によれば、光ディスクに情報データを上書き記録し、光ディスクへの情報データの記録が終了したとき、光ディスクのＲＭＡに記録されている記録回数に１を加算して記録回数を更新し、光ディスクのＲＭＡに記録されているＭＩＤを読み出して、読み出された光ディスクのＭＩＤと更新された記録回数とをネットワークを介してメーカのサーバに送信し、ネットワークを介してＭＩＤ毎の光ディスクの記録可能回数に関するディスク情報をメーカのサーバから受信して、受信されたＭＩＤ毎の光ディスクの記録可能回数に関するディスク情報を表示するようにしているので、ユーザが種々の光ディスクの中からディスク装置に合った光ディスクを選択するための情報の提供を受けることができ、メーカがディスク装置の種々の光ディスクの記録可能回数の情報の提供を受けて、種々の光ディスクに対応したディスク装置を開発、改良することができる。
請求項２記載の発明に係るディスク装置によれば、光ディスクに情報データを上書き記録し、光ディスクへの情報データの記録が終了したとき、光ディスクのＲＭＡに記録されている記録回数に１を加算して記録回数を更新し、光ディスクのＲＭＡに記録されているＭＩＤを読み出して、読み出された光ディスクのＭＩＤと更新された記録回数とを送信し、ＭＩＤ毎の光ディスクの記録可能回数に関するディスク情報を受信するようにしているので、ユーザが種々の光ディスクの中からディスク装置に合った光ディスクを選択するための情報の提供を受けることができ、メーカが光ディスクの記録回数の情報の提供を受けて種々の光ディスクに対応したディスク装置を開発、改良することができる。
請求項３記載の発明に係るディスク装置によれば、光ディスクへの情報データの記録が終了する毎に、ネットワークを介して光ディスクのＭＩＤと記録回数とをメーカのサーバに送信するようにしているので、メーカがＭＩＤ毎の光ディスクの記録回数の情報を数多く収集して、ディスク装置の開発、改良に反映することができる。
請求項４記載の発明に係るディスク装置によれば、ネットワークを介してＭＩＤ毎の光ディスクの記録可能回数に関するディスク情報をメーカのサーバから受信するようにしているので、ユーザがメーカのサーバに蓄積されているＭＩＤ毎の光ディスクの記録可能回数に関するディスク情報を入手することができる。
請求項５記載の発明に係るディスク装置によれば、受信されたＭＩＤ毎の光ディスクの記録可能回数に関するディスク情報を表示するようにしているので、ユーザが光ディスクの購入の際に、市場に出回っている種々の光ディスクの中からディスク装置に合った光ディスクを選択するためのディスク情報を入手することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は光ディスクの各領域を示す説明図であり、図３は本発明の一実施例のディスク装置の動作を示すフローチャートであり、図４は本発明の一実施例のディスク装置にネットワークを介して接続されたメーカのサーバの動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２にレーザ光を照射してその反射光を検出して光ディスク２に記録された情報データを読み出す光ピックアップ３と、光ディスク２を回転させるスピンドルモータ４と、光ピックアップ３を光ディスク２の半径方向に移動させるスレッドモータ５と、スピンドルモータ４の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するとともに、光ディスク２に記録する情報データのＲＦ信号を増幅するＲＦ増幅回路７と、アンテナ１４により受信されたテレビ放送電波から選択されたチャンネルのテレビ放送番組を受信するチューナ８と、光ピックアップ３により読み出された情報データを基準クロックに基づいて同期検出して復調し、復調された情報データの誤りを訂正して、所定の圧縮方式に基づいて圧縮された情報データを伸張し、復号して情報データ再生するとともに、チューナ８により受信されたテレビ放送番組の情報データ、或いは、外部入力端子１５から入力された情報データを符号化して、符号化された情報データを所定の圧縮方式に基づいて圧縮する信号処理回路９と、文字情報信号を映像信号に重畳して、モニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路１０と、ディスク装置１のシステム全体を制御するマイコン１１と、リモコン装置２０から送信された赤外線信号のリモコン信号を受信して、所定の電気信号に変換するリモコン受信部１２と、ネットワーク４０を介してメーカのサーバ５０に接続するモデム１３とで構成されている。
以上のように構成されたディスク装置について、以下その動作について説明する。
光ディスク２への情報データの記録が指令されると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップ３により光ディスク２のデータ記録領域２ｃ（図２参照）に情報データを上書き記録する。
そして、情報データの記録が終了すると、マイコン１１は、サーボ回路６に制御信号を送出して、スピンドルモータ４を駆動して光ディスク２を回転させ、スレッドモータ５を駆動して光ピックアップ３を光ディスク２の半径方向に移動させ、光ディスク２のリードイン領域２ｂの内側のＲＭＡ（Ｒｅｃｏｒｄｉｎｇ  Ｍａｎａｇｅｍｅｎｔ  Ａｒｅａ）２ａ（図２参照）に記録されている記録回数に１を加算して記録回数を更新し、光ディスク２のＲＭＡ２ａ（図２参照）に記録されているＭＩＤ（Ｍａｎｕｆａｃｔｕｒｅｒ  ＩＤ）を読み出して、ネットワーク４０を介して光ディスク２のＭＩＤと記録回数とをディスク装置１からメーカのサーバ５０に送信する。
光ディスクの記録可能回数に関するディスク情報がメーカのサーバ５０に蓄積されている場合、マイコン１１は、ネットワーク４０を介して光ディスクの記録可能回数に関するディスク情報をメーカのサーバ５０から受信し、ＯＳＤ回路１０に文字情報信号と制御信号とを送出して、メーカのサーバ５０から提供された光ディスクの記録可能回数に関するディスク情報をモニタ装置３０の画面に表示する（図示せず）。このことにより、ユーザが種々の光ディスクの中からディスク装置に合った光ディスクを選択するためのディスク情報の提供を受けることができ、ユーザが光ディスクの購入の際に、市場に出回っている種々の光ディスクの中からディスク装置に合った光ディスクを選択することができる。
ネットワーク４０を介して光ディスクのＭＩＤと記録回数とがディスク装置１から送信されてくると、メーカのサーバ５０は、ネットワーク４０を介して光ディスクのＭＩＤと記録回数とを受信し、メーカのサーバ５０に蓄積されているＭＩＤ毎の光ディスクの記録可能回数の統計を取って、ＭＩＤ毎の光ディスクの記録可能回数に関するディスク情報を蓄積する。このことにより、メーカがＭＩＤ毎の光ディスクの記録可能回数の情報の提供を受けて、ＭＩＤ毎の光ディスクに対するディスク装置の問題点を知ることができ、市場に出回っている種々の光ディスク対応したディスク装置の開発、改良に反映することができる。
そして、光ディスクの記録可能回数に関するディスク情報がメーカのサーバ５０に蓄積されている場合、メーカのサーバ５０は、ネットワーク４０を介して光ディスクの記録可能回数に関するディスク情報をユーザのディスク装置１に配信する。このことにより、メーカのサーバに蓄積されているディスク装置に合った光ディスクを選択するためのディスク情報をユーザに提供することができる。
また、図３の本発明の一実施例のディスク装置の動作を示すフローチャートを基に説明する。
光ディスクへの情報データの記録が指令されると、ステップＳ１からステップＳ２に進み、ステップＳ２で、光ディスクに情報データが上書き記録され、ステップＳ３に進む。
ステップＳ３で、情報データの記録が終了したか否かが判断され、情報データの記録が終了した場合、ステップＳ４に進み、情報データの記録が終了していない場合、ステップＳ２に戻って、ステップＳ２からのステップを繰り返す。
ステップＳ４で、光ディスクのＲＭＡに記録されている記録回数に１を加算して記録回数を更新し、ネットワークを介して光ディスクのＲＭＡに記録されているＭＩＤと記録回数とがディスク装置からメーカのサーバに送信されて、ステップＳ５に進む。
ステップＳ５で、光ディスクの記録可能回数に関するディスク情報がメーカのサーバに蓄積されているか否かが判断され、光ディスクの記録可能回数に関するディスク情報がメーカのサーバに蓄積されている場合、ステップＳ６に進み、光ディスクの記録可能回数に関するディスク情報がメーカのサーバに蓄積されていない場合、ステップＳ７に進んで処理を終了する。
ステップＳ６で、ネットワークを介して光ディスクの記録可能回数に関するディスク情報がメーカのサーバから受信されてモニタ装置の画面に表示され、ステップＳ７に進んで処理を終了する。
また、図４の本発明の一実施例のディスク装置にネットワークを介して接続されたメーカのサーバの動作を示すフローチャートを基に説明する。
ネットワークを介して光ディスクのＭＩＤと記録回数とがディスク装置から送信されてくると、ステップＳ１１からステップＳ１２に進み、ステップＳ１２で、ネットワークを介して光ディスクのＭＩＤと記録回数とを受信し、メーカのサーバに蓄積されているＭＩＤ毎の光ディスクの記録可能回数の統計が取られて、ＭＩＤ毎の光ディスクの記録可能回数に関するディスク情報が保存され、ステップＳ１３に進む。
ステップＳ１３で、光ディスクの記録可能回数に関するディスク情報がメーカのサーバに蓄積されているか否かが判断され、光ディスクの記録可能回数に関するディスク情報がメーカのサーバに蓄積されている場合、ステップＳ１４に進み、光ディスクの記録可能回数に関するディスク情報がメーカのサーバに蓄積されていない場合、ステップＳ１５に進んで処理を終了する。
ステップＳ１４で、ネットワークを介して光ディスクの記録可能回数に関するディスク情報がディスク装置に配信されて、ステップＳ１５に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】光ディスクの各領域を示す説明図である。
【図３】本発明の一実施例のディスク装置の動作を示すフローチャートである。
【図４】本発明の一実施例のディスク装置にネットワークを介して接続されたメーカのサーバの動作を示すフローチャートである。
【符号の説明】
【０００８】
１  ディスク装置
２  光ディスク
２ａ  ＲＭＡ
２ｂ  リードイン領域
２ｃ  データ記録領域
２ｄ  リードアウト領域
３  光ピックアップ
４  スピンドルモータ
５  スレッドモータ
６  サーボ回路
７  ＲＦ増幅回路
８  チューナ
９  信号処理回路
１０  ＯＳＤ回路
１１  マイコン
１２  リモコン受信部
１３  モデム
１４  アンテナ
１５  外部入力端子
２０  リモコン装置
３０  モニタ装置
４０  ネットワーク
５０  メーカのサーバ
【図１】
2006196098.tif 000003
【図２】
2006196098.tif 000004
【図３】
2006196098.tif 000005
【図４】
2006196098.tif 000006